(57)【要約】【課題】選局対象チャンネルの番組の映像フォーマット情報及びアスペクト比情報を選局前に取得しその映像フォーマット情報及びアスペクト比情報をモニタ、字幕デコーダ、ＯＳＤ表示部に設定してから選局を開始することで、選局開始から映像表示が完了するまでの時間を短縮できるデジタル放送受信装置を提供する。【解決手段】選局処理部７から取得した選局対象チャンネルのチャンネル情報を基に装置内に予め記憶してあるＥＩＴの中から放送対象チャンネルのＥＩＴを選択する。次にその選択したＥＩＴに含まれる全ての番組の付加情報から得られる番組放送開始／終了時刻情報と時計から取得した現在時刻情報とをそれぞれ比較して、現在時刻が放送開始時刻から終了時刻の期間に含まれる付加情報に対応する番組が選局対象チャンネルで現在放送されている番組であると判断する。そしてその番組の付加情報から映像フォーマット情報及びアスペクト比情報を取得する。【選択図】      図１
2008091975.tif 000002
【特許請求の範囲】
【請求項１】
将来放送予定及び現在放送中の各番組コンテンツの番組名と、前記各番組コンテンツの放送開始／終了日時情報と、前記各番組コンテンツを表示装置に表示する際の映像フォーマット情報及びアスペクト比情報とを少なくとも含む番組情報が、番組コンテンツと共に放送されるデジタル放送波を受信し、前記各番組コンテンツを前記表示装置に表示するデジタル放送受信装置において、
前記デジタル放送波のうちの所望チャンネルを選局し、前記所望チャンネルに含まれる番組コンテンツを再生する選局再生手段と、
前記デジタル放送波から所定期間分の前記番組情報を抽出して記憶する記憶手段と、
前記選局再生手段が前記所望チャンネルへ選局を開始する前に、選局されるべき前記所望チャンネルのチャンネル情報と本装置内の時計から取得する現在日時情報とを用いて、前記記憶手段に記憶した前記番組情報から、前記所望チャンネルで現在放送されている番組コンテンツの前記映像フォーマット情報及びアスペクト比情報を取得する映像表示情報取得手段と、
前記選局再生手段で再生した前記番組コンテンツに含まれる字幕データを、設定される前記映像フォーマット情報及びアスペクト比情報に従ってデコードし、字幕信号を生成する字幕信号生成手段と、
前記選局再生手段で再生した前記番組コンテンツの番組名を少なくとも表示するためのグラフィック画面を、設定される前記映像フォーマット情報及びアスペクト比情報に従って生成するグラフィックデータ生成手段と、
前記選局再生手段が前記所望チャンネルへ選局を開始する前に、前記映像表示情報取得手段で取得した前記映像フォーマット情報及びアスペクト比情報に応じた映像フォーマット及びアスペクト比で、前記所望チャンネルで現在放送されている番組コンテンツが表示されるように前記表示装置を制御するとともに、前記映像表示情報取得手段で取得した前記映像フォーマット情報及びアスペクト比情報を前記字幕信号生成手段及びグラフィックデータ生成手段に設定する、映像表示制御手段と、
を有することを特徴とするデジタル放送受信装置。
【発明の詳細な説明】
【技術分野】
【０００１】
本発明は、デジタル放送受信装置に係り、特に選局対象チャンネルの番組の映像フォーマット情報及びアスペクト比情報をＳＩ情報から選局前に取得し、その映像フォーマット情報及びアスペクト比情報をモニタ、字幕デコーダ、ＯＳＤ表示部に設定してから選局を開始することで、選局から映像表示までの時間を短縮できるデジタル放送受信機装置に関する。
【背景技術】
【０００２】
現在の地上波デジタル放送やＢＳデジタル放送では、送出される番組の表示形態として１０８０i, ７２０ｐ, ４８０ｐ,４８０iなど複数の映像フォーマットが許容されている。
また、それぞれの映像フォーマットにおいて、その表示画像の縦横比（以下アスペクト比と呼ぶ）についても、１６：９や ４：３といった複数の種類がある。そして、これら異なる映像フォーマット及びアスペクト比の組み合わせの番組が放送チャンネル毎及び時間毎に混在して放送されている。
【０００３】
そのため、これら異なる映像フォーマット及びアスペクト比の組み合わせで放送される番組を受信するデジタル放送受信装置は、これらの番組を正常に表示させるために、受信する番組毎にその番組の映像フォーマット及びアスペクト比の情報を取得して、その番組を表示するモニタに設定しなければならない。更に、表示する番組に字幕データが含まれる場合は、この字幕データをデコードした文字の表示を、表示する番組の映像フォーマット及びアスペクト比に合うように字幕デコーダを制御しなければならない。また、この番組を表示する際に、番組名や選局するチャンネル、装置の各種設定用のメニュー画面などのＯＳＤ（On Screen Display）をこの番組に重畳して表示する場合にも、このＯＳＤの表示サイズを表示する番組の映像フォーマット及びアスペクト比に合うように、ＯＳＤ表示部を制御しなければならない。
【０００４】
たとえば映像フォーマットが４８０ｉでアスペクト比が４：３の番組の場合は、モニタをＳＤシンク（４８０ｉで映像同期をとるモード）で画像が４：３になるように設定してこの番組を表示させるとともに、この番組の字幕、及びＯＳＤもこれに合った表示になるように字幕デコーダ、ＯＳＤ表示部を制御する。また、映像フォーマットが１０８０ｉでアスペクト比が１６：９の番組の場合は、モニタをＨＤシンク（１０８０ｉで映像同期をとるモード）で画像が１６：９になるように設定してこの番組を表示させるとともに、この番組の字幕、及びＯＳＤもこれに合った表示になるように字幕デコーダ、ＯＳＤ表示部を制御する。なお、現在商品化されているモニタは上記のような複数の異なる映像フォーマット及びアスペクト比に対応しているものが多く存在し、本発明のデジタル放送受信装置はこのモニタを使用することを前提とする。
【０００５】
従来のデジタル放送受信装置では、選局開始後、受信映像信号であるＭＰＥＧビデオストリームをデコードし、そのＭＰＥＧビデオストリームのシーケンスヘッダに記述されている映像情報から映像フォーマット及びアスペクト比の情報を取得する。そして、この取得した映像フォーマット及びアスペクト比の情報が、現在選局しているチャンネルの番組の映像フォーマット及びアスペクト比の情報と異なっている場合、取得した映像フォーマット及びアスペクト比の情報をモニタ、字幕デコーダ、ＯＳＤ表示部に設定する構成となっている。
以下、この従来のデジタル放送受信装置について説明する。
図３はこの従来のデジタル放送受信装置の構成図である。
【０００６】
アンテナ１は、地上放送波又は衛星放送波を受信する。
ＮＩＭ（Network Interface Module）２は、アンテナ１で受信する放送波のうち選局処理部７によって設定される指定周波数の放送波にチューニングし、復調して、その復調した復調信号に含まれる少なくとも1つ以上のＭＰＥＧ−ＴＳを抽出する。
【０００７】
ＴＳデコーダ３は、ＮＩＭ２で抽出された少なくとも1つ以上のＭＰＥＧ−ＴＳから、選局処理部７によって設定される指定チャンネルのＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ（Program Specification Information）/ＳＩ（Service Information）などの付加情報データに分離する。なおＭＰＥＧオーディオに関しては本発明とは関係がないので以後の説明は省く。
【０００８】
ＭＰＥＧビデオデコーダ４は、ＴＳデコーダ３によって分離されたＭＰＥＧビデオストリームを映像信号にデコードして混合部１０に出力する。また同時にＭＰＥＧビデオストリームからシーケンスヘッダ情報を抽出する。
【０００９】
字幕デコーダ８は、ＴＳデコーダ３によって分離された字幕データを字幕信号にデコードして混合部１０に出力する。
ＯＳＤ表示部９は、ＴＳデコーダ３によって分離されたＳＩデータから抽出する、番組名や選局するチャンネル、番組説明などや、各種設定用のメニュー画面などのＯＳＤ信号を生成し、混合部１０に出力する。
【００１０】
混合部１０は、ＭＰＥＧビデオデコーダ４から入力される映像信号、字幕デコーダ８から入力される字幕信号、ＯＳＤ表示部から入力されるＯＳＤ信号を混合し、この混合した混合映像信号をモニタ１１へ出力する。
【００１１】
映像表示情報解析部６は、ＭＰＥＧビデオデコーダ４が抽出したシーケンスヘッダ情報を取得する。そしてこのシーケンスヘッダに記述されている映像情報から映像フォーマット情報及びアスペクト比情報を抽出して、この抽出した映像フォーマット情報及びアスペクト比情報を、字幕デコーダ８、ＯＳＤ表示部９、モニタ１１に設定する。
【００１２】
選局処理部７は、図示していない装置の全体制御部から選局指示を受けたならば、その選局指示された選局対象チャンネルが存在する放送波の放送周波数をＮＩＭ２に設定し、選局対象チャンネルのチャンネル情報をＴＳデコーダ３に設定する。
【００１３】
モニタ１１は、映像表示情報解析部６によって設定される映像フォーマット情報及びアスペクト比情報に従って混合部１０から入力される混合映像信号を表示する。
次に、この従来のデジタル放送受信装置で実行される選局処理について図４のフローチャートと図３の構成図を用いて説明する。
【００１４】
＜ステップＳ４０１＞
選局要求が、図示していない全体制御部から選局処理部７に指示されたら、選局処理部７はＮＩＭ２へ選局対象チャンネルが存在する放送波の放送周波数を設定すると共に、ＴＳデコーダ３へ選局対象チャンネルを設定する。そして、それぞれの処理を実行させ、選局対象チャンネルのＭＰＥＧビデオストリームを出力させる。
【００１５】
＜ステップＳ４０２＞
ＭＰＥＧビデオデコーダ４は、ステップＳ４０１でのＮＩＭ２及びＴＳデコーダ３での処理が終了し、ＴＳデコーダ３からＭＰＥＧビデオストリームが入力されたらデコード処理を開始する。そしてデコードした映像信号を混合部１０へ出力する。また同時にＭＰＥＧビデオストリームの中のシーケンスヘッダ情報を抽出して映像表示情報解析部６へ出力する。
【００１６】
＜ステップＳ４０３＞
映像表示情報解析部６は入力されるシーケンスヘッダ情報に記述されている映像情報を解析し、映像フォーマット情報及びアスペクト比情報を抽出する。
【００１７】
＜ステップＳ４０４＞
現映像表示情報解析部６は、ステップＳ４０３で抽出した映像フォーマット情報及びアスペクト比情報が現在モニタ１１に設定している映像フォーマット情報及びアスペクト比情報とそれぞれ値が同じであるか否かを調べる。そしてその値が異なっていると判断した場合は処理をステップＳ４０５へ移行し、値が同じであると判断した場合は処理をステップＳ４０６へ移行する。
【００１８】
＜ステップＳ４０５＞
ステップＳ４０３で抽出した映像フォーマット情報及びアスペクト比情報を、字幕デコーダ８、ＯＳＤ表示部９、モニタ１１に設定し、この設定した各情報に応じた映像フォーマット及びアスペクト比で各信号を生成して表示するように字幕デコーダ８、ＯＳＤ表示部９、モニタ１１の各ブロックを制御する。
【００１９】
＜ステップＳ４０６＞
ステップＳ４０５から処理が移行した場合は、モニタ１１は設定された映像フォーマット情報及びアスペクト比情報に設定を変更した後に、混合部１０から入力される混合映像信号を表示する。またステップＳ４０４から移行した場合は、モニタ１１は映像フォーマット情報及びアスペクト比情報を変更せずに、混合部１０から入力される混合映像信号を表示する。
【００２０】
上記説明のように従来のデジタル放送受信装置では、選局前の映像信号と選局後の映像信号とで映像フォーマット情報及びアスペクト比情報が異なる場合、選局後のＭＰＥＧビデオストリームをデコードした後でないと、映像フォーマット情報及びアスペクト比情報が確定しないため、字幕デコーダ８、ＯＳＤ表示部９、モニタ１１への映像フォーマット情報及びアスペクト比情報の設定が遅くなる。従って、設定した映像フォーマット情報及びアスペクト比情報でモニタ１１が表示動作を開始してから映像同期が確立するまでの期間に表示映像に乱れが生じる。また、字幕デコーダからの字幕信号やＯＳＤ表示部からのＯＳＤ信号の出力も遅くなる。従って、選局開始から正しい映像が表示されるまでの時間が長くなるという課題があった。
そこで上記課題を鑑みた、選局時に一時的に解像度情報を固定して選局動作を行うことでユーザにすばやく映像を表示することができるという技術が特許文献１に記載されている。
【特許文献１】特開２００３−２３５７８号公報
【発明の開示】
【発明が解決しようとする課題】
【００２１】
しかしながらこの特許文献１においては、表示はすばやくされるものの、選局直後に表示する映像フォーマット及びアスペクト比は正常な映像フォーマット及びアスペクト比ではない。最終的には、一定時間経過した後に、正常な映像フォーマット及びアスペクト比に設定しなおして表示することになる。従って従来例よりは映像が表示されるまでの時間が短縮されるものの、正常な映像フォーマット及びアスペクト比で表示されるまでには依然として時間がかかるという課題がある。
【００２２】
本発明はこのような問題点に鑑みなされたものであり、選局対象チャンネルの番組の映像フォーマット情報及びアスペクト比情報をＳＩ情報から選局前に取得し、その映像フォーマット情報及びアスペクト比情報を、字幕デコーダ、ＯＳＤ表示部、モニタに設定してから選局を開始することで、選局開始から正常な映像フォーマット及びアスペクト比で表示するまでの時間を短縮できるデジタル放送受信装置を提供することを目的とする。
【課題を解決するための手段】
【００２３】
上記課題を解決するために本発明は以下の装置を提供するものである。
将来放送予定及び現在放送中の各番組コンテンツの番組名と、前記各番組コンテンツの放送開始／終了日時情報と、前記各番組コンテンツを表示装置に表示する際の映像フォーマット情報及びアスペクト比情報とを少なくとも含む番組情報が、番組コンテンツと共に放送されるデジタル放送波を受信し、前記各番組コンテンツを前記表示装置に表示するデジタル放送受信装置において、
前記デジタル放送波のうちの所望チャンネルを選局し、前記所望チャンネルに含まれる番組コンテンツを再生する選局再生手段と、
前記デジタル放送波から所定期間分の前記番組情報を抽出して記憶する記憶手段と、
前記選局再生手段が前記所望チャンネルへ選局を開始する前に、選局されるべき前記所望チャンネルのチャンネル情報と本装置内の時計から取得する現在日時情報とを用いて、前記記憶手段に記憶した前記番組情報から、前記所望チャンネルで現在放送されている番組コンテンツの前記映像フォーマット情報及びアスペクト比情報を取得する映像表示情報取得手段と、
前記選局再生手段で再生した前記番組コンテンツに含まれる字幕データを、設定される前記映像フォーマット情報及びアスペクト比情報に従ってデコードし、字幕信号を生成する字幕信号生成手段と、
前記選局再生手段で再生した前記番組コンテンツの番組名を少なくとも表示するためのグラフィック画面を、設定される前記映像フォーマット情報及びアスペクト比情報に従って生成するグラフィックデータ生成手段と、
前記選局再生手段が前記所望チャンネルへ選局を開始する前に、前記映像表示情報取得手段で取得した前記映像フォーマット情報及びアスペクト比情報に応じた映像フォーマット及びアスペクト比で、前記所望チャンネルで現在放送されている番組コンテンツが表示されるように前記表示装置を制御するとともに、前記映像表示情報取得手段で取得した前記映像フォーマット情報及びアスペクト比情報を前記字幕信号生成手段及びグラフィックデータ生成手段に設定する、映像表示制御手段と、
を有することを特徴とするデジタル放送受信装置。
【発明の効果】
【００２４】
本発明によれば、選局対象チャンネルの番組の映像フォーマット情報及びアスペクト比情報をＳＩ情報から選局前に取得し、その映像フォーマット情報及びアスペクト比情報を字幕デコーダ、ＯＳＤ表示部、モニタに設定してから選局を開始することで、選局開始から正常な映像フォーマット及びアスペクト比で表示するまでの時間を短縮することが可能となる。
【発明を実施するための最良の形態】
【００２５】
本発明のデジタル放送受信機装置の一実施例の構成図を図1に示す。
アンテナ１は、地上放送波又は衛星放送波を受信する。
ＮＩＭ（Network Interface Module）２は、アンテナ１で受信する放送波のうち選局処理部７によって設定される周波数の放送波にチューニングし、復調して、その復調した復調信号に含まれる少なくとも1つ以上のＭＰＥＧ−ＴＳを抽出する。
【００２６】
ＴＳデコーダ３は、ＮＩＭ２で抽出された少なくとも1つ以上のＭＰＥＧ−ＴＳから、選局処理部７によって設定される指定チャンネルのＭＰＥＧ−ＴＳのみを抽出するとともに、その抽出したＭＰＥＧ−ＴＳを、ＭＰＥＧビデオストリーム、ＭＰＥＧオーディオストリーム、及びＰＳＩ（Program Specification Information）/ＳＩ（Service Information）などの付加情報データに分離する。なおＭＰＥＧオーディオに関しては本発明とは関係がないので以後の説明は省く。
【００２７】
ＭＰＥＧビデオデコーダ４は、ＴＳデコーダ３によって分離されたＭＰＥＧビデオストリームを映像信号にデコードして混合部１０に出力する。また同時にＭＰＥＧビデオストリームからシーケンスヘッダ情報を抽出する。
【００２８】
字幕デコーダ８は、ＴＳデコーダ３によって分離された字幕データを字幕信号にデコードして混合部１０に出力する。
ＯＳＤ表示部９は、ＴＳデコーダ３によって分離されたＳＩデータから抽出する、番組名や選局するチャンネル、番組説明などや、各種設定用のメニュー画面などのＯＳＤ信号を生成し、混合部１０に出力する。
【００２９】
混合部１０は、ＭＰＥＧビデオデコーダ４から入力される映像信号、字幕デコーダ８から入力される字幕信号、ＯＳＤ表示部から入力されるＯＳＤ信号を混合し、この混合した混合映像信号をモニタ１１へ出力する。
【００３０】
ＳＩデータ記憶及び解析部５は、予め過去に装置が受信したＳＩデータを記憶しておく。
ＳＩデータはＴＳデコーダ３でＭＰＥＧ−ＴＳから分離される付加情報データである。
ＳＩデータにはＳＤＴ（Service Description Table）やＥＩＴ（Event Information Table)
などが含まれる。ＳＤＴは主に各チャンネルに関する付加情報が記述されており、ＥＩＴは各チャンネル毎に放送されている番組又は将来放送予定の各番組に関する付加情報が記述されている。各番組に関する付加情報には、各番組の放送開始／終了時刻、番組名、コンポーネントタイプなどが含まれる。本実施例ではこのうちコンポーネントタイプと放送開始／終了時刻を用いる。コンポーネントタイプとは、映像フォーマット及びアスペクト比の組み合わせ毎に特定のＩＤ（識別子）を割り振った、放送規格毎に決められている情報である。
【００３１】
そして選局処理が開始されたならば、選局処理部７から選局対象チャンネルのチャンネル情報を取得する。このチャンネル情報と図示していない時計から取得する現在時刻とにより、選局対象チャンネルで現在放送されている番組を特定し、この番組のコンポーネントタイプを取得する。
【００３２】
映像表示情報解析部６は、ＳＩデータ記憶及び解析部５から取得したコンポーネントタイプから映像フォーマット情報及びアスペクト比情報を特定し、この特定した映像フォーマット情報及びアスペクト比情報を、字幕デコーダ８、ＯＳＤ表示部９、モニタ１１に設定する。
【００３３】
また、映像表示情報解析部６は、ＭＰＥＧビデオデコーダ４が抽出したシーケンスヘッダ情報も取得する。そしてこのシーケンスヘッダ情報に記述されている映像情報から映像フォーマット情報及びアスペクト比情報を抽出する。
【００３４】
その後、ＳＩデータ記憶及び解析部５から取得した映像フォーマット情報及びアスペクト比情報と、シーケンスヘッダ情報から抽出した映像フォーマット情報及びアスペクト比情報とを比較して、その比較結果が異なった場合は、シーケンスヘッダ情報から抽出した映像フォーマット情報及びアスペクト比情報を、字幕デコーダ８、ＯＳＤ表示部９、モニタ１１に設定する。
【００３５】
選局処理部７は図示していない装置の全体制御部から選局指示を受けたならば、その選局対象チャンネルが存在する放送波の放送周波数をＮＩＭ２に設定し、選局対象チャンネルのチャンネル情報をＴＳデコーダ３及びＳＩデータ記憶及び解析部５に設定する。
【００３６】
モニタ１１は、映像表示情報解析部６によって設定される映像フォーマット情報及びアスペクト比情報で、混合部１０から入力される混合映像信号を表示する。
次に、本発明の一実施例のデジタル放送受信装置で実行される選局処理について図２のフローチャートと図１の構成図を用いて説明する。
【００３７】
なお、選局処理を行う前の前提条件として図１に示すＳＩデータ記憶及び解析部５には予め過去の本装置の受信動作により、ＳＩデータが記憶されているものとする。
＜ステップＳ２０１＞
選局要求が、図示していない全体制御部から選局処理部７に指示されたら、選局処理部７はＳＩデータ記憶及び解析部５へ選局対象チャンネルのチャンネル情報を設定する。
ＳＩデータ記憶及び解析部５は、この設定されたチャンネル情報とＳＩデータの中のＥＩＴと図示していない時計から取得する現在時刻情報とにより、選局対象チャンネルで現在放送されている番組を特定し、この番組の付加情報からコンポーネントタイプを取得する。
【００３８】
以下に、より具体的なコンポーネントタイプ取得方法の例を説明する。
選局処理部７から取得した選局対象チャンネルのチャンネル情報を基に、記憶してあるＥＩＴのうちから放送対象チャンネルのＥＩＴを選択する。次に、その選択したＥＩＴに含まれる全ての番組の付加情報から得られる番組放送開始／終了時刻情報と時計から取得した現在時刻情報とをそれぞれ比較して、現在時刻が放送開始時刻から終了時刻の期間に含まれる付加情報に対応する番組が選局対象チャンネルで現在放送されている番組であると判断する。そしてその番組の付加情報からコンポーネントタイプを取得する。
【００３９】
＜ステップＳ２０２＞
映像表示情報解析部６は、ステップＳ２０１で取得したコンポーネントタイプに対応する映像フォーマット情報及びアスペクト比情報を決定する。
【００４０】
＜ステップＳ２０３＞
映像表示情報解析部６は、ステップＳ２０２で決定した映像フォーマット情報及びアスペクト比情報が現在モニタ１１に設定している映像フォーマット情報及びアスペクト比情報とそれぞれ値が同じであるか否かを調べる。そしてその結果が異なっていると判断した場合は処理をステップＳ２０４へ移行し、値が同じであると判断した場合は処理をステップＳ２０５へ移行する。
【００４１】
＜ステップＳ２０４＞
ステップＳ２０２で決定した映像フォーマット情報及びアスペクト比情報を、字幕デコーダ８、ＯＳＤ表示部９、モニタ１１に設定し、この設定した各情報に応じた映像フォーマット及びアスペクト比で各信号を生成して表示するように字幕デコーダ８、ＯＳＤ表示部９、モニタ１１の各ブロックを制御する。
【００４２】
＜ステップＳ２０５＞
選局処理部７はＮＩＭ２へ選局対象チャンネルが存在する放送波の放送周波数を設定すると共に、ＴＳデコーダ３へ選局対象チャンネルを設定する。そして、それぞれの処理を実行させ、選局対象チャンネルのＭＰＥＧビデオストリームを出力させる。
【００４３】
＜ステップＳ２０６＞
ＭＰＥＧビデオデコーダ４は、ステップＳ２０５でのＮＩＭ２及びＴＳデコーダ３での処理が終了し、ＴＳデコーダ３からＭＰＥＧビデオストリームが入力されたらデコード処理を開始する。そしてデコードした映像信号を混合部１０へ出力する。また同時にＭＰＥＧビデオストリームの中のシーケンスヘッダ情報を抽出して映像表示情報解析部６へ出力する。
【００４４】
＜ステップＳ２０７＞
映像表示情報解析部６は入力されるシーケンスヘッダ情報に記述されている映像情報を解析し、映像フォーマット情報及びアスペクト比情報を抽出する。
【００４５】
＜ステップＳ２０８＞
映像表示情報解析部６は、ステップＳ２０７で抽出した映像フォーマット情報及びアスペクト比情報が現在モニタ１１に設定している映像フォーマット情報及びアスペクト比情報とそれぞれ値が同じであるか否かを調べる。そしてその値が異なっていると判断した場合は処理をステップＳ２０９へ移行し、値が同じであると判断した場合は処理をステップＳ２１０へ移行する。
【００４６】
＜ステップＳ２０９＞
ステップＳ２０８で抽出した映像フォーマット情報及びアスペクト比情報を、字幕デコーダ８、ＯＳＤ表示部９、モニタ１１に設定し、この設定した各情報に応じた映像フォーマット及びアスペクト比で各信号を生成して表示するように字幕デコーダ８、ＯＳＤ表示部９、モニタ１１の各ブロックを制御する。
【００４７】
＜ステップＳ２１０＞
ステップＳ２０９から処理が移行した場合は、モニタ１１は設定された映像フォーマット情報及びアスペクト比情報に設定を変更した後に、混合部１０から入力される混合映像信号を表示する。またステップＳ２０８から移行した場合は、映像フォーマット情報及びアスペクト比情報を変更せずに、混合部１０から入力される混合映像信号を表示する。
【００４８】
上記のように、予め記憶してあるＳＩデータの中のＥＩＴを基に、実際の選局処理を開始する前に選局対象チャンネルが現在放送している番組の映像フォーマット情報及びアスペクト比情報を取得してモニタ１１に設定するため、選局開始から正常な映像フォーマットで表示するまでの時間を短縮することが可能となる。
【００４９】
また、本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【図面の簡単な説明】
【００５０】
【図１】本発明の一実施例を示す構成図である。
【図２】本発明の一実施例における選局動作のフローチャートである。
【図３】従来例を示す構成図である。
【図４】従来例における選局動作のフローチャートである。
【符号の説明】
【００５１】
１  アンテナ
２  ＮＩＭ
３  ＴＳデコーダ
４  ＭＰＥＧビデオデコーダ
５  ＳＩデータ記憶及び解析部
６  映像表示情報解析部
７  選局処理部
８  字幕デコーダ
９  ＯＳＤ表示部
１０  混合部
１１  モニタ
【図１】
2008091975.tif 000003
【図２】
2008091975.tif 000004
【図３】
2008091975.tif 000005
【図４】
2008091975.tif 000006